(57)【特許請求の範囲】
【請求項１】
燃料タンク内に備えられる燃料ポンプの吸い込み口に備えられる燃料ポンプのフィルタ装置であって、
このフィルタ装置が、フィルタ機能を有するメッシュ材の一方の面側に連設筒体を、他方の面側に保形体を、夫々の基板部を向き合わせ、且つ前記連設筒体が該保形体の備えられる側に開口するように備えてあり、
且つ、前記保形体の備えられる側の前記メッシュ材の面側に、この保形体の先端部の受入部を有する保持体を、他方の面側に板状体を、この板状体と該保持体の基板部とを向き合わせの状態に備えてあり、
前記保形体の先端部を前記保持体の受入部に組み付けると共に、前記保形体と保持体とを包み込むように前記メッシュ材を重ね合せの状態に折り曲げ、且つ、該重ね合わせ周縁部を溶着して袋状体としてあることを特徴とする燃料ポンプにおけるフィルタ装置。
【請求項２】
メッシュ材を挟んで対となって備えられる連設筒体及び保形体と、メッシュ材を挟んで対となって備えられる保持体及び板状体とが、成形型内にメッシュ材をインサートしてなされるプラスチック成形物であることを特徴とする請求項１記載の燃料ポンプのフィルタ装置。
【請求項３】
メッシュ材を挟んで対となって備えられる連設筒体及び保形体と、メッシュ材を挟んで対となって備えられる保持体及び板状体とが、互いに向き合った側に備えている掛り止め手段を、前記メッシュ材を通して相互に掛り止めて、該メッシュ材に止め付けられていることを特徴とする請求項１記載の燃料ポンプのフィルタ装置。
【発明の詳細な説明】
【０００１】
【発明の属する技術分野】
この発明は、自動車等の燃料タンク内に備えられて、エンジンに燃料を供給する燃料ポンプのフィルタ装置に関する。
【０００２】
【従来の技術】
従来、この種の、インタンク式燃料ポンプの吸い込み口に備えられるフィルタ装置として、実開平４−１７１８１号公報に開示されたフィルタ装置がある。
【０００３】
この実開平４−１７１８１号公報に開示されているフィルタ装置は、メッシュ材を所定形状に保持する保持体を備え、しかも、この保持体を上下面から覆うように、該保持体の先端側に向けてメッシュ材を折り曲げると共に、メッシュ材で構成される袋体の先端から保持体の先端延出部を外方に突き出すようにして、該メッシュ材の重ね合せ縁を溶着して構成してある。
【０００４】
【発明が解決しようとする課題】
しかしながら、かかる保持体の先端側に向けて折り返しの状態で重ね合せられた各メッシュ材の重ね合せ縁の溶着によって構成されるフィルタ装置にあっては、フィルタ機能を備えた袋体の先端側が偏平ないしは全く内部空間を有しない板状となり、当該先端部分における目詰り、あるいは、保持体に直接密着しているメッシュ材の周側部分がタンク底面に対して接触することに伴う不都合があった。
【０００５】
また、メッシュ材によって構成される袋体から保持体の先端延出部が突き出すように設けてあり、この延出部とメッシュ材の縁とが重なる部分におけるシール性に難があった。
【０００６】
この発明は、メッシュ材にって構成される袋状体がタンク底面と接する側においても、所期の充分な内部空間を備えているフィルタ装置を、容易に構成し、提供することを目的としている。
【０００７】
【課題を解決するための手段】
この発明は、前記の目的を達成するものとして、請求項１の発明に係る燃料ポンプのフィルタ装置を、燃料タンク内に備えられる燃料ポンプの吸い込み口に備えられる燃料ポンプのフィルタ装置であって、
このフィルタ装置が、フィルタ機能を有するメッシュ材の一方の面側に連設筒体を、他方の面側に保形体を、夫々の基板部を向き合わせ、且つ前記連設筒体が該保形体の備えられる側に開口するように備えてあり、
且つ、前記保形体の備えられる側の前記メッシュ材の面側に、この保形体の先端部の受入部を有する保持体を、他方の面側に板状体を、この板状体と該保持体の基板部とを向き合わせの状態に備えてあり、
前記保形体の先端部を前記保持体の受入部に組み付けると共に、前記保形体と保持体とを包み込むように前記メッシュ材を重ね合せの状態に折り曲げ、且つ、該重ね合わせ周縁部を溶着して袋状体としてある。
【０００８】
このように構成されるフィルタ装置にあっては、保形体の先端部を、保持体の受入部に組み付けると共に、この保形体と、保持体とを包み込むようにメッシュ材を重ね合せの状態に折り曲げ、このメッシュ材の重ね合せ周縁部を溶着することで、構成される袋状体の先端側に充分な袋状空間を、前記保持体と板状体とによって作り出すことができ、構成される袋状体の先端部分における目詰りなどを生じない構成とすることができる。
【０００９】
また、このように構成されるフィルタ装置にあっては、メッシュ材によって構成される袋状体を、この袋状体の膨み部分で、タンク底面に接触するように構成することができる。
【００１０】
次いで、前記の目的を達成するために、請求項２の発明に係る燃料ポンプのフィルタ装置を、前記請求項１の発明に係る燃料ポンプのフィルタ装置において、メッシュ材を挟んで対となって備えられる連設筒体及び保形体と、メッシュ材を挟んで対となって備えられる保持体及び板状体とが、成形型内にメッシュ材をインサートしてなされるプラスチック成形物である構成としている。
【００１１】
このように構成されるフィルタ装置にあっては、先端側においても、充分な内部空間を有する袋状体を備えたフィルタ装置を、比較的シンプルな金型によるプラスチック成形によって得ることができる。
【００１２】
更に、前記の目的を達成するために、請求項３の発明に係る燃料ポンプのフィルタ装置を、前記請求項１の発明に係る燃料ポンプのフィルタ装置において、メッシュ材を挟んで対となって備えられる連設筒体及び保形体と、メッシュ材を挟んで対となって備えられる保持体及び板状体とが、互いに向き合った側に備えている掛り止め手段を、メッシュ材を通して相互に掛り止めて、該メッシュ材に止め付けられている構成としてある。
【００１３】
このように構成されるフィルタ装置にあっては、プラスチック成形によって用意される各部材を、メッシュ材の両面から、連設筒体と保形体とが対となり、また、保持体と板状体とが対となるように互に止めつけることで、フィルタ装置の主要部品の構成をなすことができ、比較的小さい成形型による構成部品の成形提供をなすことができる。
【００１４】
【発明の実施の形態】
以下、本発明に係る燃料ポンプのフィルタ装置の典型的な各実施の形態につて詳細に説明する。
【００１５】
図１〜図４は、第１の実施の形態に係る燃料ポンプのフィルタ装置を示すものであって、図１は、完成前のフィルタ装置を構成する部品の一部を省略して正面から見て示しており、図２は、この完成前のフィルタ装置を構成する部品の一部を省略して、これを斜視図として示している。
また、図３は、このフィルタ装置を斜視図で、図４では、これを、使用している状態を要部断面図として示している。
【００１６】
図５〜図１０は、第２の実施の形態に係る燃料ポンプのフィルタ装置を示すものであって、図５は、完成前のフィルタ装置を構成する部品を分離し、しかも、一部を省略した状態で、これを正面から見て、図６は、この一部を省略した態様での構成各部品を、分離した状態で、これを斜視図として示している。
また、図７は、構成されたフィルタ装置を斜視図として、図８では、これを用いる状態を断面図として示すと共に、図９では、保形体と、連設筒体の組み付け部を、図１０では、保持体と板状体の組み付け部を夫々要部拡大の断面図として示している。
【００１７】
この実施の形態に係る燃料ポンプのフィルタ装置Ａは、燃料タンクＢ内に備えられる燃料ポンプＣの吸い込み口に備えられる燃料ポンプのフィルタ装置Ａであって、このフィルタ装置Ａが、フィルタ機能を有するメッシュ材１０の一方の面側１０ａに連設筒体２０を、他方の面側１０ｂに保形体３０を、夫々の基板部２１、３１を向き合わせ、且つ前記連設筒体２０が該保形体３０の備えられる側に開口２０ａするように備えてあり、且つ、前記保形体３０の備えられる側の前記メッシュ材１０の面側１０ｂに、この保形体３０の先端部の受入部４２を有する保持体４０を、他方の面側１０ａに板状体５０を、この板状体５０と該保持体４０の基板部４１とを向き合わせの状態に備えてあり、前記保形体３０の先端部を前記保持体４０の受入部４２に組み付けると共に、前記保形体３０と保持体４０とを包み込むように前記メッシュ材１０を重ね合せの状態に折り曲げ、且つ、該重ね合わせ周縁部１１を溶着して袋状体Ｄとしてある。
【００１８】
このように構成されるフィルタ装置Ａにあっては、保形体２０の先端部を、保持体４０の受入部４２に組み付けると共に、この保形体３０と、保持体４０とを包み込むようにメッシュ材１０を重ね合せの状態に折り曲げ、このメッシュ材１０の重ね合せ周縁部１１を溶着することで、構成される袋状体Ｄの先端側に、充分な袋状空間を、前記保持体４０と、板状体５０とによって作り出すことができ、構成される袋状体Ｄの先端部分における目詰りなどを生じない構成とすることができる。
【００１９】
また、このように構成されるフィルタ装置Ａにあっては、メッシュ材１０によって構成される袋状体Ｄを、この袋状体Ｄの膨み部分で、タンク底面ｂに接触するように構成することができる。
【００２０】
この実施の形態に係る燃料ポンプのフィルタ装置Ａは、燃料タンクＢ内にブラケットなどによって組み込まれるインタンク式電動燃料ポンプＣの吸い込み口ｃに備えられると共に、袋状体Ｄの先端部分が、燃料タンクＢの底面ｂに接するように備えつけられて、燃料タンクＢ内の燃料が残り少なくなった際に、フィルタ装置における袋状体Ｄを構成するメッシュ材１０が、燃料タンクＢの底面ｂとの接触部分から、毛細管現象によって、燃料を吸い上げるように機能するようにしてある。
【００２１】
尚、前記燃料ポンプＣは、通例、エンジンに燃料を供給する供給パイプを備えていると共に、このエンジンに供給された燃料は、その余剰燃料が燃料タンクにリターンパイプによって還流される構成としてある。
【００２２】
（１）第１の実施の形態に係る燃料ポンプのフィルタ装置
先ず、図１〜図４に示す第１の実施の形態に係る燃料ポンプのフィルタ装置について説明する。
【００２３】
この実施の形態に係る燃料ポンプのフィルタ装置は、燃料タンクＢ内に備えられる燃料ポンプＣの吸い込み口に備えられる燃料ポンプのフィルタ装置Ａであって、このフィルタ装置Ａが、フィルタ機能を有するメッシュ材１０の一方の面側１０ａに連設筒体２０を、他方の面側１０ｂに保形体３０を、夫々の基板部２１、３１を向き合わせ、且つ前記連設筒体２０が該保形体３０の備えられる側に開口２０ａするように備えてあり、且つ、前記保形体３０の備えられる側の前記メッシュ材１０の面側１０ｂに、この保形体３０の先端部の受入部４２を有する保持体４０を、他方の面側１０ａに板状体５０を、この板状体５０と該保持体４０の基板部４１とを向き合わせの状態に備えてあり、前記保形体３０の先端部を前記保持体４０の受入部４２に組み付けると共に、前記保形体３０と保持体４０とを包み込むように前記メッシュ材１０を重ね合せの状態に折り曲げ、且つ、該重ね合わせ周縁部１１を溶着して袋状体Ｄとしてある。
【００２４】
先ず、ここで用いられるメッシュ材１０は、ナイロン樹脂などの合成樹脂材料で構成されて、所要のフィルタ機能を当該フィルタ装置にもたらし得る形状、寸法の網目を備え、しかも所要の袋状体としての張込み機能を有する腰の強さを備えたものとして用意される。
【００２５】
この実施の形態に係るフィルタ装置Ａにあっては、保形体３０の幅方向の両側方に延びて、これを覆う幅寸法とし、しかも、保形体３０の先端部を保持体４０の受入部４２に組み付けた際に、この保形体３０と保持体４０とを、その長さ方向で、両面から挾み込むように包み込むと共に、保持体４０の側で、更に、両先端部相互が、この保持体４０から突き出した位置で重ね合せの状態で溶着される長さ寸法を備えた、所謂帯状に細長い長方形々状のものとして用意される。
【００２６】
このようにして用意されたメッシュ材１０に、連設筒体２０に連通する孔１２を設けると共に、これを成形型内にセットし、このセットされたメッシュ材１０に対して、前記袋状体Ｄを構成する夫々の位置に以下の各部品を射出成形によって備えさせる。先ず、長さ方向に離れた位置の一方に連設筒体２０と、保形体３０を、この連設筒体２０が一方の面側１０ａに、また保形体３０が他方の面側１０ｂに位置づけられるように、この両者が一体となるように射出成形によって設けると同時に、他方位置に、保持体４０と板状体５０とを、この板状体５０が一方の面側１０ａに、また保持体４０が他方の面側１０ｂに位置づけられるように、この両者が一体となるように射出成形によって設けてある。
【００２７】
ここで、メッシュ材１０に設けられる保形体３０は、メッシュ材１０の面に添って設けられるこのメッシュ材１０の幅方向に細長い長方形状の基板部３１と、この基板部３１の長さ側に間隔をあけて、この基板部３１の面から略直角に突設され、且つ、この基板部３１の長さ方向の側縁と平行な面を備え、しかも、先端側で一連に連設されている先窄まりの、一対の保形支板３２、３２と、この各保形支板３２の板面に背中合せの状態で、この保形支板３２から略直角に起立して設けられている翼板３３とを備えた構成としてあり、この保形支板３２の先端連設部３２ａが、保持体４０の受入部４２に差し込まれる構成としてある。
【００２８】
かかる保形体３０と背中合せの状態で、メッシュ材１０に設けられる連設筒体２０は、この保形体３０の基板部３１と都合良く重なり合う形状、寸法であって、このメッシュ材１０の面に添って設けられる基板部２１と、この基板部２１から略直角に突き出した後、一体に、屈曲して設けられている筒部２２とを備えた構成としてある。
尚、この筒部２２は、その先端側２２ａを、保持体４０の備えられる側に向けて構成することで燃料ポンプＣに対する取り付け性を良好としてある。
【００２９】
また、前記の基板部２１、３１の略中央であって、前記各保形支板３２、３２間に、筒部２２の開口として機能する前記メッシュ材１０の孔１２に連通する孔２１ａ、３１ａが、連設筒体２０の開口２０ａとして設けてある。
【００３０】
かくして構成される保形体３０の保形支板３２のなす面が、メッシュ材１０の面と平行になるようにメッシュ材１０を折りつけると共に、このメッシュ材１０の長さ方向の他方側に設けた保持体４０の取付けメッシュ材１０を同様に折りつけ、この折りつけに伴って、保形支板３２の先端連設部３２ａが都合良く受入部４２に組み付けられる位置に保持体４０と、板状体５０とを設ける構成としてある。
【００３１】
このメッシュ材１０の一方の面側１０ｂに設けられる保持体４０は、メッシュ材１０の幅方向に細長い長方形状をなして該メッシュ材１０の面に添って設けられる基板部４１と、この基板部４１の、前記保形体３０の備えられている側と反対側の縁に添って、略直角に該基板部４１から突き出すように設けられている保護板部４３と、この保護板部４３よりも前記保形体３０の側に近い基板部４１の面から、この保護板部４３に平行で、しかも、これよりも突き出し幅の小さい一対の支持突片４２ａ、４２ａを一体に突設して構成された受入部４２とを備えた構成としてある。
【００３２】
この基板部４１に設けられる支持突片４２ａ、４２ａは、前記保形体３０の保形支板３２に平行に設けてあると共に、この支持突片４２ａ、４２ａ間に、前記保形体３０の先端連設部３２ａが、密に、差し込み状態で、組み付けられる構成としてある。
【００３３】
かかる保持体４０と背中合せの状態で、メッシュ材１０に設けられる板状体５０は、この保持体４０の基板部４１と都合良く重なり合う形状、寸法であって、このメッシュ材１０の面に添って設けられる構成としてある。
【００３４】
このようにして、メッシュ材１０に対して、射出成形手段によって一体に設けられた保形体３０の保形支板３２を、メッシュ材１０と平行とし、この保形支板３２の先端連設部３２ａを、保持体４０の各支持突片４２ａ、４２ａの構成する受入部４２に収め入れるようにして、この各支持突片４２ａ、４２ａをメッシュ材１０と平行な向きに回し込み、この保形体３０と、保持体４０との間にあるメッシュ材１０に緩みが生じないように該保形体３０と、保持体４０との組み付けをなす。
【００３５】
次いで、この保形体３０と、保持体４０との間に張り込まれたメッシュ材１０Ａに対して、保形体３０の他方側から延設されているメッシュ材１０Ｂを、保持体４０の側に折り返して、この保持体４０の保護板部４３から、更に、前方に繰り出すようになすと共に、前記の保形体３０と、保持体４０との間に張り込まれているメッシュ材１０Ａに対して、保持体４０の他方側から延設されているメッシュ材１０Ｃを、前記保形体３０と反対の側に折り曲げ状態で繰出し、メッシュ材１０Ａの長さ方向の両側縁１１ａ、１１ａと、メッシュ材１０Ｂの長さ方向の両側縁１１ａ、１１ａとを重ね合せると共に、メッシュ材１０Ｂの折返し先端縁１１ｂと、メッシュ材１０Ｃの先端縁１１ｂとを、このメッシュ材１０Ｂに緩みを生じないように重ね合せ、これらの夫々の重ね合せ周縁部１１を熱盤、インパルス方式のシーラーによる溶接、超音波溶接、高周波溶接などによって溶着して袋状体Ｄを構成する。
【００３６】
かかるメッシュ材１０の重ね合せ周縁部１１の溶着によって、保形体３０と、保持体４０とがメッシュ材１０によって構成される袋状体Ｄ内に都合良く収め入れられ、しかも、この袋状体Ｄを構成するメッシュ材１０が、この保形体３０と、保持体４０との間に緩みなく張り込まれたフィルタ装置Ａとして構成される。
【００３７】
かくして構成されたフィルタ装置Ａは、保形体３０の保形支板３２の面を燃料タンクＢの底面ｂと向き合わせるようにし、しかも、その先端側、特に、保持体４０から、連設筒体２０と反対の側に向けて更に突設状態に設けられた先端袋部ｄを、燃料タンクＢの底面ｂに接した態様で、燃料ポンプＣの吸い込み口ｃに対して直接、または、適宜の連設手段を介して取付け用いられる。
【００３８】
（２）第２の実施の形態に係る燃料ポンプのフィルタ装置
先ず、図５〜図１０に示す第２の実施の形態に係る燃料ポンプのフィルタ装置について説明する。
【００３９】
この実施の形態に係る燃料ポンプのフィルタ装置は、燃料タンクＢ内に備えられる燃料ポンプＣの吸い込み口に備えられる燃料ポンプのフィルタ装置Ａであって、このフィルタ装置Ａが、フィルタ機能を有するメッシュ材１０の一方の面側１０ａに連設筒体２０を、他方の面側１０ｂに保形体３０を、夫々の基板部２１、３１を向き合わせ、且つ前記連設筒体２０が該保形体３０の備えられる側に開口２０ａするように備えてあり、且つ、前記保形体３０の備えられる側の前記メッシュ材１０の面側１０ｂに、この保形体３０の先端部の受入部４２を有する保持体４０を、他方の面側１０ａに板状体５０を、この板状体５０と該保持体４０の基板部４１とを向き合わせの状態に備えてあり、前記保形体３０の先端部を前記保持体４０の受入部４２に組み付けると共に、前記保形体３０と保持体４０とを包み込むように前記メッシュ材１０を重ね合せの状態に折り曲げ、且つ、該重ね合わせ周縁部１１を溶着して袋状体Ｄとしてある。
【００４０】
この第２の実施の形態に係る燃料ポンプのフィルタ装置は、連設筒体２０、保形体３０、保持体４０、及び板状体５０を、夫々プラスチック成形によって前もって用意すると共に、メッシュ材１０に対して、このメッシュ材１０を挟みつけるようにして、連設筒体２０と、保形体３０とを、互に掛り止め手段よる掛り止めの状態で備えさせると共に、メッシュ材１０に対して、このメッシュ材１０を挟みつけるようにして、保持体４０と、板状体５０とを互に掛り止めの手段による掛り止めの状態で備えさせ、次いで、この連設筒体２０、保形体３０、保持体４０、及び板状体５０を備えたメッシュ材１０にあって、保形体３０の先端連設部３２ａを、保持体４０の受入部４２に組み付け、更に、保形体３０から側方に延びているメッシュ材１０を、保持体４０の下側から、更に側方に繰り出すと共に、この重ね合せの状態にあるメッシュ材１０の周縁部１１を溶着することで、保形体３０と、保持体４０とを内部に備えた袋状体Ｄを構成するようにしてある。
【００４１】
先ず、ここで用いられるメッシュ材１０は、ナイロン樹脂などの合成樹脂材料で構成されて、所要のフィルタ機能を当該フィルタ装置にもたらし得る形状、寸法の網目を備え、しかも所要の袋状体としての張込み機能を有する腰の強さを備えたものとして用意される。
【００４２】
この実施の形態に係るフィルタ装置Ａにあっては、このメッシュ材１０に備えられる保形体３０の幅方向の両側方に延びて、これを覆う幅寸法とし、しかも、この備えつけられる保形体３０の先端部を別段に備えつけられる保持体４０の受入部４２に組み付けた際に、この保形体３０と保持体４０とを、その長さ方向で、両面から挾み込むように包み込むと共に、保持体４０の側で、更に、両先端部相互が、この保持体４０から突き出した位置で重ね合せの状態で溶着される長さ寸法を備えた、所謂帯状に細長い長方形々状のものとして用意される。
【００４３】
このようにして用意されたメッシュ材１０に、連設筒体２０に連通する孔１２を設けると共に、このメッシュ材１０に設けられた孔１２に連通するように連設筒体２０を、保形体３０によって、該メッシュ材１０に備えつけ、これに対応したメッシュ材１０の位置に保持体４０を板状体５０によって備えつける。
先ず、長さ方向に離れた位置の一方に設けた前記孔１２に連通するように連設筒体２０と、保形体３０を、この連設筒体２０が一方の面側１０ａに、また保形体３０が他方の面側１０ｂに位置づけられるようになすと共に、この両者を、連設筒体２０に設けた掛り止めの手段としての係合突片２３をメッシュ材１０に挿通した後、保形体３０に設けた掛り止めの手段としての係合孔３４に差し入れ係合する構成としてある。
また、これに対応した他方位置のメッシュ材１０に、保持体４０と板状体５０とを、この板状体５０が一方の面側１０ａに、また保持体４０が他方の面側１０ｂに位置づけられるようになすと共に、板状体５０に設けた掛り止めの手段としての係合突片５１をメッシュ材１０に挿通した後、保持体４０の掛り止めの手段としての係合孔４４に差し入れ係合する構成としてある。
【００４４】
ここで、メッシュ材１０に組み付け設けられる保形体３０は、射出成形などによって得られるプラスチック成形品を好適な一例とし、メッシュ材１０の面に添って設けられるこのメッシュ材１０の幅方向に細長い長方形状の基板部３１と、この基板部３１の長さ側に間隔をあけて、この基板部３１の面から略直角に突設され、且つ、この基板部３１の長さ方向の側縁と平行な面を備え、しかも、先端側で一連に連設されている先窄まりの、一対の保形支板３２、３２と、この各保形支板３２の板面に背中合せの状態で、この保形支板３２から略直角に起立して設けられている翼板３３とを備え、前記基板部３１に係合孔３４を貫設された構成としてあり、この保形支板３２の先端連設部３２ａが、保持体４０の受入部４２に差し込まれる構成としてある。
【００４５】
かかる保形体３０と背中合せの状態で、メッシュ材１０に組みつけられる連設筒体２０は、前記保形体３０と同様に、射出成形などによって得られるプラスチック成形品を好適な一例としてあり、この保形体３０の基板部３１と都合良く重なり合う形状、寸法であって、このメッシュ材１０の面に添って設けられる基板部２１と、メッシュ材１０に挿通され、しかも前記保形体３０の係合孔３４に差し入れ係合される係合突片２３と、この係合突片２３と反対の側に向けて、該基板部２１から略直角に突き出した後、一体に、屈曲して設けられている筒部２２とを備えた構成としてある。
尚、この筒部２２は、その先端側２２ａを、保持体４０の備えられる側に向けて組付け用いられる構成とすることによって、燃料ポンプＣに対する取り付け性を良好としてある。
【００４６】
また、前記で相互に掛け止めされる各基板部２１、３１には、その略中央であって、前記各保形支板３２、３２間に、筒部２２の開口として機能する前記メッシュ材１０の孔１２に連通する孔２１ａ、３１ａを設けてあり、これらを掛け止めすることによって、構成される袋状体Ｄの内方に、連設筒体２０の開口２０ａを設けるようにしてある。
【００４７】
かくしてメッシュ材１０に組み付け構成される保形体３０の保形支板３２のなす面が、メッシュ材１０の面と平行になるようにメッシュ材１０を折りつけると共に、このメッシュ材１０の長さ方向の他方側に組み付け設けた保持体４０の取付けメッシュ材１０を同様に折りつけ、この折りつけに伴って保形支板３２の先端連設部３２ａが都合良く受入部４２に組み付けられる位置となるように保持体４０と、板状体５０とを夫々設けるように構成してある。
【００４８】
このメッシュ材１０の一方の面側１０ｂに組み付け設けられる保持体４０は、組み付け用いられるメッシュ材１０の幅方向に細長い長方形状をなして該メッシュ材１０の面に添って設けられる基板部４１と、この基板部４１の、前記保形体３０の備えつけられる側と反対側の縁に添って、略直角に該基板部４１から突き出すように設けられている保護板部４３と、この保護板部４３よりも前記保形体３０の側に近い基板部４１の面から、この保護板部４３に平行で、しかも、これよりも突き出し幅の小さい一対の支持突片４２ａ、４２ａを一体に突設して構成された受入部４２とを備え、しかも、前記基板部４１に、板状体５０の係合突片５１の差し入れ係合される係合孔５１を設けた構成としてある。
【００４９】
このメッシュ材１０に備えつけられた基板部４１に設けられる支持突片４２ａ、４２ａは、メッシュ材１０に備えつけ用いられる前記保形体３０の保形支板３２に平行になるように設けてあると共に、この支持突片４２ａ、４２ａ間に、前記保形体３０の先端連設部３２ａが、密に、差し込み状態で、組み付けられる構成としてある。
【００５０】
かかる保持体４０と背中合せの状態で、メッシュ材１０に組み付け設けられる板状体５０は、このメッシュ材１０に挿通され、しかも保持体４０の係合孔４４に差し入れ係合される係合突片５１を備え、しかもこの保持体４０の基板部４１と都合良く重なり合う形状、寸法であって、このメッシュ材１０の面に添って組み付け設けられる構成としてある。
【００５１】
かくして構成される連設筒体２０と保形体３０とを、メッシュ材１０を介して互に掛け止め状態に設け、また、保持体４０と板状体５０とを、メッシュ材１０を介して互に掛け止め状態に設ける。
【００５２】
このようにして、メッシュ材１０に対して、組み付けられた保形体３０の保形支板３２を、メッシュ材１０と平行とし、この保形支板３２の先端連設部３２ａを、保持体４０の各支持突片４２ａ、４２ａの構成する受入部４２に収め入れるようにして、この各支持突片４２ａ、４２ａをメッシュ材１０と平行な向きに回し込み、この保形体３０と、保持体４０との間にあるメッシュ材１０に緩みが生じないように該保形体３０と、保持体４０との組み付けをなす。
【００５３】
次いで、この保形体３０と、保持体４０との間に張り込まれたメッシュ材１０Ａに対して、保形体３０の他方側から延設されているメッシュ材１０Ｂを、保持体４０の側に折り返して、この保持体４０の保護板部４３から、更に、前方に繰り出すようになすと共に、前記の保形体３０と、保持体４０との間に張り込まれているメッシュ材１０Ａに対して、保持体４０の他方側から延設されているメッシュ材１０Ｃを、前記保形体３０と反対の側に折り曲げ状態で繰出し、メッシュ材１０Ａの長さ方向の両側縁１１ａ、１１ａと、メッシュ材１０Ｂの長さ方向の両側縁１１ａ、１１ａとを重ね合せると共に、メッシュ材１０Ｂの折返し先端縁１１ｂと、メッシュ材１０Ｃの先端縁１１ｂとを、このメッシュ材１０Ｂに緩みを生じないように重ね合せ、これらの夫々の重ね合せ周縁部１１を熱盤、インパルス方式のシーラーによる溶接、超音波溶接、高周波溶接などによって溶着して袋状体Ｄを構成する。
【００５４】
かかるメッシュ材１０の重ね合せ周縁部１１の溶着によって、保形体３０と、保持体４０とがメッシュ材１０によって構成される袋状体Ｄ内に都合良く収め入れられ、しかも、この袋状体Ｄを構成するメッシュ材１０が、この保形体３０と、保持体４０との間に緩みなく張り込まれたフィルタ装置Ａとして構成される。
【００５５】
かくして構成されたフィルタ装置Ａは、保形体３０の保形支板３２の面を燃料タンクＢの底面ｂと向き合わせるようにし、しかも、その先端側、特に、保持体４０から、連設筒体２０と反対の側に向けて更に突設状態に設けられた先端袋部ｄを、燃料タンクＢの底面ｂに接した態様で、燃料ポンプＣの吸い込み口ｃに対して直接、または、適宜の連設手段を介して取付け用いられる。
【００５６】
【発明の効果】
この発明に係る燃料ポンプのフィルタ装置は、燃料タンク内に備えられる燃料ポンプの吸い込み口に備えられる燃料ポンプのフィルタ装置において、フィルタ機能を有するメッシュ材の一方の面側に連設筒体を、他方の面側に保形体を、夫々の基板部を向き合わせ、且つ前記連設筒体が該保形体の備えられる側に開口するように備えてあり、且つ、前記保形体の備えられる側の前記メッシュ材の面側に、この保形体の先端部の受入部を有する保持体を、他方の面側に板状体を、この板状体と該保持体の基板部とを向き合わせの状態に備えてあり、前記保形体の先端部を前記保持体の受入部に組み付けると共に、前記保形体と保持体とを包み込むように前記メッシュ材を重ね合せの状態に折り曲げ、且つ、該重ね合わせ周縁部を溶着して袋状体としてあることから、保形体の先端部を、保持体の受入部に組み付けると共に、この保形体と、保持体とを包み込むようにメッシュ材を重ね合せの状態に折り曲げ、このメッシュ材の重ね合せ周縁部を溶着することで、構成される袋状体の先端側に充分な袋状空間を、前記保持体と板状体とによって作り出すことができ、構成される袋状体の先端部分における目詰りなどを生じない構成とすることができる特長を有している。
【００５７】
また、このように構成されるフィルタ装置にあっては、メッシュ材によって構成される袋状体を、この袋状体の膨み部分で、タンク底面に接触するように構成することができる特長を有している。
【００５８】
次いで、前記の構成に係る燃料ポンプのフィルタ装置において、メッシュ材を挟んで対となって備えられる連設筒体及び保形体と、メッシュ材を挟んで対となって備えられる保持体及び板状体とが、成形型内にメッシュ材をインサートしてなされるプラスチック成形物である構成としたことによって、先端側においても、充分な内部空間を有する袋状体を備えたフィルタ装置を、比較的シンプルな金型によるプラスチック成形によって得ることができる特長を有している。
【００５９】
更に、前記の構成に係る燃料ポンプのフィルタ装置において、メッシュ材を挟んで対となって備えられる連設筒体及び保形体と、メッシュ材を挟んで対となって備えられる保持体及び板状体とが、互いに向き合った側に備えている掛り止め手段を、メッシュ材を通して相互に掛り止めて、該メッシュ材に止め付けられている構成としたことによって、射出成形などによって用意される各部材を、メッシュ材の両面から、連設筒体と保形体とが対となり、また、保持体と板状体とが対となるように互に止めつけることで、フィルタ装置の主要部品の構成をなすことができ、比較的小さい成形型による構成部品の成形提供をなすことができる特長を有している。
【図面の簡単な説明】
【図１】第１の実施の形態に係るフィルタ装置の主要構成部の要部の正面図
【図２】同構成部の要部の斜視図
【図３】同フィルタ装置の斜視図
【図４】同断面図
【図５】第２の実施の形態に係るフィルタ装置の主要構成部品の要部の正面図
【図６】同構成部品の要部斜視図
【図７】同フィルタ装置の斜視図
【図８】同断面図
【図９】同連設筒体と保形体との取付け部の拡大断面図
【図１０】同保持体と、板状体との取付け部の拡大断面図
【符号の説明】
Ａ  フィルタ装置
Ｂ  燃料タンク
Ｃ  燃料ポンプ
Ｄ  袋状体
１０  メッシュ材
１１  周縁部
１２  孔
２０  連設筒体
２１  基板部
２２  筒部
３０  保形体
３１  基板部
４０  保持体
４１  基板部
４２  受入部
５０  板状体
【図１】
0003936021.tif 000002
【図２】
0003936021.tif 000003
【図３】
0003936021.tif 000004
【図４】
0003936021.tif 000005
【図５】
0003936021.tif 000006
【図６】
0003936021.tif 000007
【図７】
0003936021.tif 000008
【図８】
0003936021.tif 000009
【図９】
0003936021.tif 000010
【図１０】
0003936021.tif 000011